(57)【要約】      （修正有）【課題】使用者が靴を履いているときの足への負担を軽くして長時間歩行しても疲れを感じ難く、履いているだけでも足裏への磁気治療効果の高い靴の中敷を提供する。【解決手段】少なくとも二種類以上の異なる素材を積層して足裏の形状に中敷本体１０を形成し、中敷本体の表面の足裏の土踏まずに当接する面に膨出部１３を設け、中敷本体の表層直下の第２層に、複数の磁石を埋設する複数の磁石埋設部１６を設けたことを特徴とする。【選択図】図２
0003190851.tif 000002
【実用新案登録請求の範囲】
【請求項１】
少なくとも一種類以上の異なる素材を積層して足裏の形状に中敷本体を形成し、
前記中敷本体の表面の足裏の土踏まずに当接する面に膨出部を設け、
前記中敷本体の表層直下の第２層に、複数の磁石を埋設する複数の磁石埋設部を設けたことを特徴とする靴の中敷。
【請求項２】
前記複数の磁石埋設部は、前記中敷本体の全面に亘って所定の間隔を開けて設けられていることを特徴とする請求項１に記載の靴の中敷。
【請求項３】
前記膨出部は、足裏に係る重量により容易に変形可能な軟質の素材で形成されていることを特徴とする請求項１又は２に記載の靴の中敷。
【考案の詳細な説明】
【技術分野】
【０００１】
本考案は、靴の中敷に関するものであり、詳しくは、使用者の足裏の当接する表面に永久磁石を敷設して磁気治療の効果を図った靴の中敷に関するものである。
【背景技術】
【０００２】
従来、靴の中敷（以下、インソールともいう）は、大別して、使用者の足裏に当接する表面が平らに形成されたものと、表面に突起や起伏が形成されたものとがある。表面が平らに形成された靴の中敷としては、靴底の底上げを目的としたもの、表面にデザインを施して靴を脱いだ時のファッション性の向上を図ったもの、通気性素材を用いて消臭、抗菌等の衛生面に対応したものがある。表面に突起や起伏が形成された靴の中敷としては、東洋医学でいうところの足裏のツボを刺激するように表面に突起を設けたものがある。さらに、上述した表面の突起でツボを刺激するとともに、永久磁石を表面に敷設して磁気を足裏に作用させることにより血液の流れをよくして磁気治療の効果を図ったものがある。
【０００３】
上記のような、磁気治療の効果を図った靴の中敷としては、特許文献１に示すように、軟質合成樹脂で成形されたインソ−ル本体の少なくとも土踏まず部相当箇所に、少なくとも１個以上の磁石を、磁石の全部又は大部分を内蔵したインソールが開示されている。
【０００４】
また、特許文献２に示すように、中敷本体に、通気性を備えるように多数の小透孔を穿設形成するとともに、凹部底面が周面を残して抜き孔とした収納部を適宜数箇所に形成し、この収納部内に、扁平磁石体又は薄銅板の何れかを選択的に、略非突出状態として嵌合装着した靴の中敷が開示されている。
【先行技術文献】
【特許文献】
【０００５】
【特許文献１】特開平１１−４８９７号公報
【特許文献２】実用新案登録第３１３２７４０号公報
【考案の概要】
【考案が解決しようとする課題】
【０００６】
ところが、引用文献１のインソール（靴の中敷）は、土踏まず部に相当する箇所にしか磁石が内蔵されておらず、足裏全体の磁気治療の効果は望めなかった。また、インソール本体は、軟質合成樹脂により一体成型されているため通気性が悪く、長時間使用すると足が蒸れてしまう等の問題点があった。
【０００７】
また、特許文献２の靴の中敷は、中敷本体が樹脂製のため、靴の中で足が滑り歩きにくかったり、通気性を保つため多数の小透孔を穿設形成しているとはいえ、磁気治療のための磁石や殺菌・消臭のための金属板（銅版、アルミニウム板）を多数収納部に嵌合装着すると靴そのものの重量が嵩むため、長時間の使用が使用者の足の負担になったりする等の問題点があった。
【０００８】
本考案は上記課題を解決するものであり、使用者が靴を履いているときの足への負担を軽くして長時間歩行しても疲れを感じ難く、履いているだけでも足裏への磁気治療の効果の高い靴の中敷を提供することを目的とする。
【課題を解決するための手段】
【０００９】
請求項１に係る本考案は、少なくとも一種類以上の異なる素材を積層して足裏の形状に中敷本体を形成し、前記中敷本体の表面の足裏の土踏まずに当接する面に膨出部を設け、前記中敷本体の表層直下の第２層に、複数の磁石を埋設する複数の磁石埋設部を設けたことを特徴とする靴の中敷とした。
【００１０】
請求項２に係る本考案は、請求項１に記載の靴の中敷において、前記複数の磁石埋設部は、前記中敷本体の全面に亘って所定の間隔を開けて設けられていることを特徴とする。
【００１１】
請求項３に係る本考案は、請求項１又は請求項２に記載の靴の中敷において、前記膨出部は、足裏に係る重量により容易に変形可能な軟質の素材で形成されていることを特徴とする。
【考案の効果】
【００１２】
請求項１に記載の考案によれば、例えば、第１層（表層）に牛皮革、第２層にココヤシ繊維、第３層に硬質ウレタンフォーム等の異なる素材を用い、この異なる３種類の素材を積層して靴の中敷本体を形成することで、ソフトなクッション性と復元性を同時に備え、使用者が歩行したときの衝撃吸収性や耐久性に優れた靴の中敷とすることが可能となる。
【００１３】
また、中敷本体の表面に設けた起伏（足裏の土踏まずに当接する面に形成された膨出部）により、靴の中で両足を安定して保持してバランスよく使用者の体重を支えることを可能としている。さらに、磁石埋設部は、磁石が直接足裏に当たることがないように中敷本体の表層直下の第２層に設けられているため、足裏に痛みが生じることを防ぐことができる。
【００１４】
請求項２に記載の考案によれば、複数の磁石埋設部は、中敷本体の全面に亘って所定の間隔を開けて設けられている配置している。これにより、全面磁性体で形成された靴の中敷と同様の足裏全体に磁気による治療効果が望めるようになり、複数の磁石により十分な磁束密度（磁力）を確保することができる。
【００１５】
請求項３に記載の考案によれば、膨出部は、足裏にかかる重量により容易に変形可能な軟質の素材で形成されている。このため、例えば、足裏の土踏まずの発達していない使用者（所謂、偏平足）でも、膨出部が容易に変形する（つまり、平らな状態になる）ことにより、使用者の足裏に最適な形状に変化することができる。
【図面の簡単な説明】
【００１６】
【図１】本実施例に係る靴の中敷の構造を示す平面図である。
【図２】図１に示す靴の中敷のＡ−Ａにおける断面図である。
【図３】本実施例に係る靴の中敷の使用例を説明する斜視図である。
【図４】本実施例に係る靴に中敷の足のサイズに応じた使用例を示す図である。
【考案を実施するための形態】
【００１７】
以下、本考案に係る靴の中敷の一実施例について、図１〜４を参照して具体的に説明する。なお、以下の説明では、男性用の靴の中敷（サイズ２４．０ｃｍ〜２８．０ｃｍ）を一例として説明する。
【００１８】
本実施例に係る中敷本体１０は、図１に示すように、中敷本体１０の表面１１の足裏の土踏まずに当接する面に膨出部１３、１４、中敷本体１０の表面１１の足裏の踵に当接する面に凹部１５が形成されている。膨出部１３は、中敷本体１０の表面１１に最大幅３４ｍｍ（女性用は２４ｍｍ）、最大高さ７７ｍｍ（女性用は６９ｍｍ）、厚み略４ｍｍで三日月状に凸部を形成している。膨出部１４は、中敷本体１０の表面１１に直径２５ｍｍ（女性用は２０ｍｍ）、厚み略４ｍｍの円形に凸部を形成している。凹部１５は、中敷本体１０の表面１１に直径４４ｍｍ（女性用は４２ｍｍ）、深さ約０．３ｍｍの円形の凹部を形成している。
【００１９】
図２に示すように、中敷本体１０の膨出部１３は４種類の異なる素材を積層して構成されている。具体的には第１層（表層）に略１．５ｍｍの厚さの牛皮革１０ａ、第２層に略４ｍｍの厚さの軟質ウレタンフォーム１０ｂ、第３層に略２ｍｍの厚さのココヤシ繊維１０ｃ、第４層に略１．３ｍｍの厚さの硬質ウレタンフォーム１０ｄの４層で構成されている。また、図示はしないが膨出部１４も同じ構成である。
【００２０】
中敷本体１０の膨出部１３、１４以外は軟質ウレタンフォーム１０ｂを除いた３種類の異なる素材を積層して構成されている。具体的には、第１層（表層）に牛皮革１０ａ、第２層にココヤシ繊維１０ｃ、第３層に硬質ウレタンフォーム１０ｄの３層構成されており、各層の厚みは上記膨出部１３と同じである。つまり、本実施例における中敷本体１０は、膨出部１３、１４は４種類の異なる素材を積層して構成されており、膨出部１３、１４以外は３種類の異なる素材を積層して構成されている。
【００２１】
上述した、牛皮革１０ａ、軟質ウレタンフォーム１０ｂ、ココヤシ繊維１０ｃ及び硬質ウレタンフォーム１０ｄの各素材は通気性に優れているため、本実施例に係る靴の中敷を長時間使用しても蒸れることがなく、雑菌の繁殖等を防ぐことができ、防臭・抗菌作用に優れている。また、第１層に牛皮革１０ａを用いているため、耐摩耗性に強く、歩行による中敷本体１０の表面１１と足裏との摩擦による破れやめくれを防ぐことができ、靴の中で足裏が滑ることもなく。しっかりと足裏が靴にフィットした状態で歩行することができる。
【００２２】
さらに、中間層（例えば、第２層）にココヤシ繊維１０ｃを用いているため、クッション性や通気性に優れた快適な足裏環境を作ることができる。また、ココヤシ繊維１０ｃは、十分な強度を備えつつ使用者の足裏にかかる重量に応じて所定量変形してその状態を維持することができる。これにより、本実施例の靴の中敷を長時間使用することで、ココヤシ繊維１０ｃの形状が使用者の足裏の形状に追従して変形し、使用者毎の足裏の形状にフィットした形に形成された後この状態が維持される。
【００２３】
具体的には、図３（ａ）に示すように、新品状態の中敷本体１０は、中敷本体１０の表面１１に形成された膨出部１３、１４が所定の厚み（例えば、略４ｍｍ）を維持している。そして、図３（ｂ）に示すように、長時間使用後の中敷本体１０は、膨出部１３、１４の厚みが使用者の重量により足裏（特に土踏まず）の形状に合わせて変形（具体的には厚みが圧縮される）した状態となる。この時、軟質ウレタンフォーム１０ｂで形成された膨出部１３、１４だけではなく、中間層に用いられたココヤシ繊維１０ｃも使用者の重量により足裏の形状に合わせて変形（具体的には、中敷本体１０の全面が圧縮されて薄くなる）する。このように、使用後の中敷本体１０は、中敷本体１０の全面が使用者の足裏の形状に追従して変形し、使用者毎の足裏の形状にフィットした形に形成された後この状態が維持される。
【００２４】
図２に示すように、第１層（表層）の直下の第２層には、複数の磁石埋設部１６が設けられている。つまり、膨出部１３、１４においては、第１層直下の第２層の軟質ウレタンフォーム１０ｂに磁石埋設部１６が設けられ、膨出部１３、１４以外では、第２層のココヤシ繊維１０ｃに磁石埋設部１６が設けられている。この磁石埋設部１６は、直径７ｍｍ、深さ０．３ｍｍの円形の凹部として形成されている。
【００２５】
複数の磁石埋設部１６には永久磁石２０がそれぞれ埋設されている。永久磁石２０は、例えば、１個の形状が直径７ｍｍ、高さ３ｍｍの円柱状で、磁束密度７５ｍＴ（ミリテラス）のネオジウム磁石が用いられる。なお、永久磁石２０としては上記ネオジウム磁石以外でも、所定の磁束密度が得られるものであればよい。
【００２６】
図１に示すように、複数の磁石埋設部１６は、中敷本体１０の全面に亘って設けられている。具体的には、膨出部１３には縦方向に所定間隔（略１５ｍｍ）を置いて４箇所、膨出部１４には中央に１箇所、凹部１５には凹部１５の外周に沿って４箇所、その他の場所には縦横方向に所定間隔（略１５ｍｍ）を置いて１１箇所の合計２２箇所の磁石埋設部１６が設けられている。このように、複数の磁石埋設部１６を中敷本体１０の表面１１の全面に亘って所定間隔を開けて設けることで、複数の永久磁石２０により十分な磁束密度（磁力）を確保することができ、足裏全体に磁気による治療効果が見込める。
【００２７】
ここで、本実施例で永久磁石２０として用いられるネオジウム磁石の磁束密度（磁力）の強さは、対象となる足裏との距度の二乗に反比例して下がるという特性がある。具体的には、足裏との距離が‘０ｍｍ’（つまり、密着している）の場合は７５ｍＴ、足裏との距離が‘１ｍｍ’の場合は４０ｍＴ、足裏との間隔が‘５ｍｍ’の場合は７．５ｍＴ、というように、永久磁石２０と足裏との距離が開くほど急激に磁束密度の強さは低下する。
【００２８】
このため、本実施例においては、第１層（牛皮革１０ａ）直下の第２層（軟質ウレタンフォーム１０ｂ又はココヤシ繊維１０ｃ）に複数の磁石埋設部１６を設けているため、永久磁石２０と足裏との距離は、第１層の厚さ（具体的には、牛皮革１０ａの厚さ略１．５ｍｍ）分一定の距離を保つことができる。これにより、複数の磁石埋設部１６に埋設された永久磁石２０の磁束密度の強さを一定に保つことができ、足裏全体に効果的な磁気治療を施すことを可能としている。
【００２９】
また、複数の磁石埋設部１６を第１層（牛皮革１０ａ）直下の第２層（軟質ウレタンフォーム１０ｂ又はココヤシ繊維１０ｃ）に設け、この複数の磁石埋設部１６により永久磁石２０を保持している。このため、永久磁石２０が直接足裏に触れることがなく第２層（軟質ウレタンフォーム１０ｂ又はココヤシ繊維１０ｃ）に保護されているので、永久磁石２０が割れたり欠けたりする問題が発生することがない。
【００３０】
図４に示すように、本実施例に係る靴の中敷本体１０は、裏面１２の先端近傍に複数の靴のサイズ（大きさ）に応じた複数の切り取り線１７を設けている。つまり、装着する靴のサイズが２３ｃｍの場合は、２３ｃｍを示す切り取り線１７に沿って先端を切り取ることで、装着する靴のサイズに最適な大きさの中敷本体１０とすることができる。このように、複数の靴のサイズを一枚の中敷本体１０で対応することで、大きさの異なる複数の靴のサイズにそれぞれ対応した複数種類の大きさの中敷本体１０を製造する必要がなく、生産コストを下げることができる。また、複数の切り取り線１７は中敷本体１０の裏面１２に設けているため、本実施例の中敷本体１０の表面１１を上向きにして靴に装着した場合に、残った切り取り線１７は隠されて外部からは見えないようにしている。
【００３１】
上述したように、本実施例に係る靴の中敷本体１０は、最大４種類の素材（牛皮革１０ａ、軟質ウレタンフォーム１０ｂ、ココヤシ繊維１０ｃ、硬質ウレタンフォーム１０ｄ）を積層して形成しているため、ソフトなクッション性と復元性を同時に備え、使用者が歩行したときの衝撃吸収性や耐久性に優れた靴の中敷とすることが可能となる。また、中敷本体１０の表面に設けた起伏（膨出部１３、１４及び凹部１５）により、靴の中で両足を安定して保持してバランスよく使用者の体重を支えることができる。
【００３２】
また、磁石埋設部１６は中敷本体１０の第１層（表層）直下の第２層に設けられているため、磁石が直接足裏に当たりツボを刺激することがなく、物理的な足裏の刺激により足裏に痛みが生じることを防ぐことができる。また、膨出部１３、１４は、足裏に係る使用者の体重に応じて容易に変形可能な軟質ウレタンフォーム１０ｂを用いているため、膨出部１３、１４が容易に変形する（つまり、平らな状態になる）ことにより、使用者の足裏にフィットした最適な形状に変化するため、靴の中で使用者の両足をバランスよく安定して保持することができる。
【００３３】
また、本実施例に係る中敷本体１０は、長時間の使用により、中敷本体１０の全面が使用者毎の足裏の形状にフィットした形に形成されるため、どのような靴に装着した場合でも、使用者の足裏に合った最適な形状に形成され、さらに、その最適な形状を保つことで、使用者の足に負担が少なく自然体で歩ける靴を提供することが可能となる。
【００３４】
なお、積層して中敷本体１０を構成する最大４種類の素材（牛皮革１０ａ、軟質ウレタンフォーム１０ｂ、ココヤシ繊維１０ｃ、硬質ウレタンフォーム１０ｄ）の種類や厚み等は、上述した実施例に限定されるものではなく、用いられる素材やその厚みは、本考案の効果を奏するものであれば適宜変更可能である。
【００３５】
なお、本考案は上述した実施例に限定されるものではなく、本考案の要旨を逸脱しない範囲内で種々の改良、変形が可能であることはいうまでもない。
【符号の説明】
【００３６】
１０  中敷本体
１１  表面
１２  裏面
１３  膨出部
１４  膨出部
１５  凹部
１６  磁石埋設部
２０  永久磁石
【図１】
0003190851.tif 000003
【図２】
0003190851.tif 000004
【図３】
0003190851.tif 000005
【図４】
0003190851.tif 000006
【手続補正書】
【提出日】平成26年3月28日(2014.3.28)
【手続補正１】
【補正対象書類名】実用新案登録請求の範囲
【補正対象項目名】全文
【補正方法】変更
【補正の内容】
【実用新案登録請求の範囲】
【請求項１】
少なくとも二種類以上の異なる素材を積層して足裏の形状に中敷本体を形成し、  前記中敷本体の表面の足裏の土踏まずに当接する面に膨出部を設け、  前記中敷本体の表層直下の第２層に、複数の磁石を埋設する複数の磁石埋設部を設けたことを特徴とする靴の中敷。
【請求項２】
前記複数の磁石埋設部は、前記中敷本体の全面に亘って所定の間隔を開けて設けられていることを特徴とする請求項１に記載の靴の中敷。
【請求項３】
前記膨出部は、足裏に係る重量により容易に変形可能な軟質の素材で形成されていることを特徴とする請求項１又は２に記載の靴の中敷。
【手続補正２】
【補正対象書類名】明細書
【補正対象項目名】０００９
【補正方法】変更
【補正の内容】
【０００９】  請求項１に係る本考案は、少なくとも二種類以上の異なる素材を積層して足裏の形状に中敷本体を形成し、前記中敷本体の表面の足裏の土踏まずに当接する面に膨出部を設け、前記中敷本体の表層直下の第２層に、複数の磁石を埋設する複数の磁石埋設部を設けたことを特徴とする靴の中敷とした。